(57)【要約】      （修正有）【課題】リレー、特に個別のリレー及び複数式リレーの両方を電気基板又は回路基板に一緒に並びに直接、締結及び位置決めし、種々の形式のリレーに普遍的に利用することができるリレー組立体を提供する。【解決手段】リレー組立体は、板に取り付けられたリレーを備える。リレーは、単一又は個別のリレー、或いは複数式リレーとすることができる。リレーは、ハウジング３と、該ハウジンから延びて回路基板にハンダ付けされる少なくとも１つの浸漬ハンダピンとを含む。リレーは、少なくとも１つの締結クリップ５によって回路基板上に取り付けられ、締結クリップは、ハウジングの穴に嵌合する嵌合部６、９と、基板のボアに係止するラッチ部９と、嵌合部６、９とラッチ部９との間の中央フランジとを有する。【選択図】図２
0003190875.tif 000002
【実用新案登録請求の範囲】
【請求項１】
少なくとも１つのハウジングと、前記少なくとも１つのハウジングから延び、基板にハンダ付けされる少なくとも１つの浸漬ハンダピンとを含むリレーを備えるリレー組立体であって、前記リレーは、前記リレーの前記少なくとも１つのハウジングの穴に嵌合する嵌合部と、前記基板のボアに係止するラッチ部と、前記嵌合部と前記ラッチ部との間の支持フランジとを有する、少なくとも１つの締結クリップによって前記基板に取り付けられることを特徴とするリレー組立体。
【請求項２】
前記少なくとも１つの締結クリップの前記支持フランジは、該支持フランジの上及びその端部に形成され、前記嵌合部に隣接して、前記嵌合部が前記少なくとも１つのハウジングの穴に嵌合される場合に、前記リレーの前記少なくとも１つのハウジングに接触する表面を有する、請求項１に記載のリレー組立体。
【請求項３】
前記少なくとも１つの締結クリップの前記嵌合部は、前記ハウジングの穴の相応する形状の部分に係合する十字形の圧入フィンガーを含む、請求項２に記載のリレー組立体。
【請求項４】
前記少なくとも１つの締結クリップの前記嵌合部は、前記支持フランジに結合する第１の嵌合段部と、前記第１の嵌合段部に結合する第２の嵌合段部とを含む、請求項１から３のいずれかに記載のリレー組立体。
【請求項５】
前記少なくとも１つの締結クリップは、前記支持フランジに隣接する前記嵌合部の一部を取り囲み、前記ハウジングと前記基板との間の距離を調節するようになった離隔リングを更に含む、請求項１から４のいずれかに記載のリレー組立体。
【請求項６】
前記少なくとも１つの締結クリップの前記嵌合部は、前記中央フランジに結合されるスペーサー脚と、前記スペーサー脚に結合されるラッチ凹部と、前記ラッチ凹部に結合されるラッチ頭部とを含む、請求項１から５のいずれかに記載のリレー組立体。
【請求項７】
前記少なくとも１つの締結クリップの前記ラッチ部は、前記支持フランジに結合されるスペーサー脚を含む、請求項６に記載のリレー組立体。
【請求項８】
前記少なくとも１つの締結クリップの前記ラッチ部は、前記スペーサー脚に結合されるラッチ凹部と、該ラッチ凹部に結合されるラッチ頭部とを含む、請求項７に記載のリレー組立体。
【請求項９】
前記少なくとも１つの締結クリップの前記ラッチ部は弾性があり、前記基板のボアに押し込まれる、請求項７又は８に記載のリレー組立体。
【請求項１０】
前記少なくとも１つの締結クリップの前記ラッチ部は、前記スペーサー脚と前記ラッチ凹部との間に中間凹部（１３）及び中間ラッチ頭部を含む、請求項７から９のいずれかに記載のリレー組立体。
【請求項１１】
前記少なくとも１つの締結クリップの前記スペーサー脚は、スリットがない、部分的にスリット付けされている、又は完全にスリット付けされている、請求項７から１０のいずれかに記載のリレー組立体。
【請求項１２】
前記少なくとも１つの締結クリップは、複数の締結クリップを含み、
前記リレーは、相互に取り付けられた複数のハウジングスタックを有する複数式リレーであり、
前記複数の締結クリップのうちの少なくとも１つの第１の締結クリップは、前記ハウジングの穴に嵌合する嵌合部と、前記基板のボアに係止されるラッチ部とを有し、
前記複数の締結クリップのうちの少なくとも１つの第２の締結クリップは、前記複数のハウジングのうちの第１のハウジングの穴に嵌合する嵌合部と、前記複数のハウジングのうちの第２のハウジングの穴に係止するラッチ部とを有する、請求項１から１１のいずれかに記載のリレー組立体。
【請求項１３】
前記少なくとも１つの第２の締結クリップは、
前記支持フランジに隣接する前記嵌合部の一部を取り囲み、前記複数のハウジングのうちの前記第１のハウジングと前記第２のハウジングとの間の距離を調節するようになった離隔リングを更に含む、請求項１２に記載のリレー組立体。
【請求項１４】
前記嵌合部及び前記ラッチ部の少なくとも１つは、支持フランジの中心線に対して横方向に変位する、請求項１から１３のいずれかに記載のリレー組立体。
【考案の詳細な説明】
【技術分野】
【０００１】
本考案は、リレーを、特に個別のリレー及び複数式リレーの両方を家庭用、商用、又は工業用電気機器の電流を開閉する電気計器で使用される電気基板又は回路基板上に一緒に並びに直接、締結及び位置決めするための構成に関する。
【背景技術】
【０００２】
略矩形ハウジングを有するリレーを離間させて締結するための種々の技術的解決策が知られている。一般に、リレーは、浸漬ハンダピンとして知られる一方向に向いた一連の接続部を有し、これにより構成部品がハンダ付けされて回路基板に相互接続される。また、リレーを適切な寸法のプラグコネクタによって簡単に差し込む解決策もある。また、浸漬ハンダピンをクランク状に曲げるデザインも知られており、接触面又は接触点を回路基板に置いて、浸漬ハンダ付けプロセスによる実際の固定の前に、最初にリレーを回路基板上に位置決めができるようになっている。しかしながら、一般にクランク状に曲げた浸漬ハンダピンは、ピンの変形又はハンダ接合部の破損を伴うことなく、その後に追加のコネクタ接続部を回路基板又はコネクタ基板にネジ留めする際に発生する力を吸収又は分散させるほどには十分に安定していない。
【０００３】
前述の支持要素による技術的解決策は、独国実用新案第２９５  ２１  １７９に開示されており、回路基板の方向に向いた追加の保持アーム、又は下方に突出する適切な保持ピンがリレーハウジング上に直接、配置されて取り付けられている。保持ピンは、ラッチ要素又はクランプ要素を備え、リレーを実際のハンダ付けの前に回路基板上に位置決めするようになっており、また、電気経路に差し込む又は締結する場合の支持部として機能するようになっている。
【０００４】
種々の保持突起及びインターロッキング保持クリップは、欧州特許公開０  ２２３  ６２２に開示されており、各リレーを互いに離間させることなく、一緒に直接つなぎ合わせるか又は一緒にスナップ留めすることが可能になっている。
【０００５】
独国実用新案８８  ０８  １５３には、矩形ハウジングを備えるリレーの締結及び位置決めのための他の技術的解決策が開示されており、リレーの回路基板への接触前又は接触時に、リレーの回路基板への十分な圧力ばめ固定が可能になり、回路基板の方向への固定ピンの寸法に対応するギャップが、回路基板の中央に設けられている。
【０００６】
独国公開特許２  １３１  ４７８には矩形ハウジングを備えるリレーに同様の構成が開示されている。回路基板の方向に向かう大きな寸法の案内ロッドがリレーの中央に設けられている。別の追加ロッドが設けられており、バヨネット式ロックのように機能して、圧力ばめ式で基部に対してリレーを締結及び位置決めする。
【０００７】
独国実用新案８９  １３  ２７６には、締結及び位置決めの問題点を解決する他の技術的解決策が開示されている。この場合、基板の方向に向かう保持ブラケットがリレーの矩形ハウジング上に設けられており、保持ブラケット上には基板の裏面に係合して締結をもたらすラッチ歯状部が設けられている。
【０００８】
独国実用新案７９  ００  ９２９．３には、開閉装置をスナップ式締結又は他のクランプ手段を用いて付属デバイスに結合する技術的解決策が開示されている。この場合、結合は浅い凹部を備えるボアを貫通して拡大頭部が浅い凹部に係止するリベット様のラッチ要素で行う。ここでは、互いに隣接する個々の開閉装置の直接的な相互結合が行われる。
【０００９】
独国公開特許１９９  ６１  ２４２には、相互に隣接する電力回路遮断器の結合に関する他の技術的解決策が開示されている。ここには、円筒形本体を有する結合要素も開示されており、本体の両側には、半径方向に跳ね返り、軸方向で反対方向に突出する２つの拡大脚部が形成されており、この外径は本体の外径よりも小さく、対向するジャケットラインの露出端部は、半径方向に突出する突出部を呈し、懸架状態において、所謂戻りバネによって結合されることになるハウジングの内部に係止して確実な結合をもたらす。この欠点は、結合されることになる両方のハウジングにおいて、特別な戻りバネを設計して配置する必要がある点であり、これはより高価なハウジング構造につながる。このことはハウジング製造が全体としてより高価になることを意味する。
【先行技術文献】
【特許文献】
【００１０】
【特許文献１】独国実用新案第２９５  ２１  １７９
【特許文献２】欧州特許公開０  ２２３  ６２２
【特許文献３】独国実用新案８８  ０８  １５３
【特許文献４】独国公開特許２  １３１  ４７８
【特許文献５】独国実用新案８９  １３  ２７６
【特許文献６】独国実用新案７９  ００  ９２９．３
【特許文献７】独国公開特許１９９  ６１  ２４２
【考案の概要】
【考案が解決しようとする課題】
【００１１】
一般に、直近又は重なり合って配置されることになる開閉装置のハウジングにのみ好適な何れの場合においても、上記の全ての内容が当てはまる。これにより、電気基板又は回路基板へのハウジング並びに本質的に同様に設計された接続要素の両方の離隔的配置及び位置決めは実施可能ではない。
【課題を解決するための手段】
【００１２】
本考案の目的は、リレー、特に個別のリレー及び複数式リレーの両方を電気基板又は回路基板に一緒に並びに直接、締結及び位置決めするための新規な構成を提供するものであり、高度な製造自動化、ハンダ付け前のリレーの正確に位置決め、安定化及び締結、所定の距離の付与、良好な荷重及び力の分散、簡単な事前組み立て、及び自動的な事前組み立てプロセスに適することを必要とする種々の形式のリレーに普遍的に利用することができる。
【００１３】
従って、本考案  はリレー組立体を提供し、該リレー組立体は、ハウジングと、該ハウジングから延び、基板にハンダ付けされる少なくとも１つの浸漬ハンダピンとを含むリレーを備える。リレーは、リレーのハウジングの穴に嵌合する嵌合部と、基板のボアに係止するラッチ部と、嵌合部とラッチ部との間の支持フランジとを有する、少なくとも１つの締結クリップによって基板に取り付けられる。
【００１４】
略矩形のリレーハウジングを有する、家庭用及び工業用電気機器の電流を開閉する電気計器に統合するために使用される、特に、個別のリレー及び複数式リレーであるリレーを、電気基板又は回路基板に互いに並びに直接、締結及び位置決めするための新規な構成の場合、その間に配置される２つ又はそれ以上の新規な締結クリップを備える。この新規な締結クリップは、複数式リレーの場合、それぞれ隣接するリレーハウジングの間、及び／又はリレーハウジングと電気基板又は回路基板の間に配置される。この目的のために、リレーハウジング、及び／又は電気基板又は回路基板には、対応する締結又は差し込み穴が設けられるので、締結クリップは、それぞれの構成部品に係合して、互いを位置決めして互いを締結することができる。この解決策の利点は、異なる形式又はサイズのリレーに対してこれらの締結クリップを使用することが容易である点にあり、締結クリップは、隣接するリレーハウジングを互いに結合し、又はリレーを電気基板又は回路基板に対して結合及び位置決めできる。締結クリップは自動化手段を利用して扱うこと及び締結することが容易なので、これにより高度な製造自動化を実現することができる。従って、リレーをハンダ付けの前に正確に位置決めすること、安定化させること、及び締結することができ、同時に、所定の距離を与えることができる。これにより、良好な荷重及び力の分散、或いは荷重又は力の伝達が可能になり、これにより事前組み立てを簡単にするか又は事前組み立てを自動化することができる。更に、リレーと、電気基板又は回路基板との間の距離を選択できるので、リレーの下の露出面を他の電気部品及び／又は電子部品のために利用することができる。従って、関連する基板の全体寸法を小型化することができる。
【００１５】
新規な締結クリップを利用してリレーの締結及び位置決め構成がもたらされ、締結クリップは中央支持フランジを備え、この上に配置される圧入ピンよりは大径である。支持フランジ上に配置される圧入ピンの直径又は寸法は小さいので、締結されるリレーハウジングを支持することができる支持フランジ上に接触面が形成される。スペーサー脚は、圧入ピンとは反対側で支持フランジ上に配置される。スペーサー脚は、随意的にスリットがない、部分的にスリット付けされた、又は完全にスリット付けされたデザインとすることができる。交差するスリットも可能であり４つのラッチ部頭部が形成される。スペーサー脚が単純に完全にスリット付けされる場合、２つのスペーサー脚は、互いに離れて形成される。ラッチ部は、スペーサー脚に結合し、ラッチ凹部及びラッチ頭部を備える。
【００１６】
スリットがない構成の場合、ラッチ部は弾性材料で作られる。組み立て時、対応して形作られた締結ホールに、つまりリレーハウジング或いは基板又は回路基板のアンダーカットに係止する前に、圧入によりラッチ頭部が圧縮される。好ましくは、スペーサー脚及びラッチ部は、完全にスリット付けされて中央に配置することができ、組み立て時に、ラッチ部全体は圧縮され、終了位置に達すると再度跳ね返る
【００１７】
次に、突出ラッチ頭部は、リレーハウジングに設けられた対応する大きさのアンダーカット、又はリレーハウジング自体で或いは電気基板又は回路基板にデザインされたアンダーカットの突出面に係合するので、十分に強固な結合が行われる。
【００１８】
好ましくは、圧入ピンは、十字形の形態とすることができる。従って、その長さは様々とすることができる。差し込み穴から偶発的に抜け出すのを防止するための所用の安全手段は重要である。従って、圧入は、締結クリップの圧入ピンと、圧入軸を形成するリレーハウジングの穴の一部との間にデザインされる。
【００１９】
組み立てを容易にするために、圧入ピン上に更に面取り部を設けることができ、圧入ピンは、対応して形成されたリレーハウジングの差し込み穴の圧入軸に良好かつ迅速に挿入することができる。更に、圧入は、圧入ピンの全長にわたって行う必要はない。
【００２０】
偶発的な抜けに対する安全性を高めるために、道理にかなっている場合には、追加的に、圧入ピンの表面の一部に又は全ての配置される、鋸歯状の返しのついた表面又は歯状隆起部を設けることができる。更に、歯状隆起部は、圧入軸に設けることもできるので、締結クリップとリレーとの間のほぼ分離不能な結合がもたらされる。
【００２１】
原理的に、各リレーハウジングの間の相互の距離、又は基板又は回路基板への距離を一時的に変更する必要がある場合、追加の離隔部品又は離隔リングを締結クリップの圧入ピン上に設けることが考えられる。離隔部品又は離隔リングの穴は、支持フランジの接触面に載るまで圧入ピン上を推し進めることができるように構成される。この利点は、１つ又は複数の離隔部品又は離隔リングが圧入ピン上に設けることができ、１つの種類の締結クリップを種々の所望の距離を得るために使用できることである。
【００２２】
また、種々の用途において、リレーの締結及び位置決めのための構成の場合、締結クリップを複数の部品でデザインすることは好都合である。
【００２３】
他の新規なデザインにおいて、締結クリップは、段階的にデザインすることができ、２つ又はそれ以上の異なる寸法の圧入ピン及び／又はラッチ部を有する。また、スペーサー脚は、１つ又は複数の段階部を有することができ、１つの締結クリップで種々の離隔高さを実現することができる。
【００２４】
特定の実施形態において、支持フランジは、随意的に正方形、矩形、又は楕円構成とすることができる。これにより、例えば、電気基板又は回路基板上の接触面、又はそれぞれの隣接するリレーハウジングの間の接触面を大きくすることができ、結果的にリレーハウジングに加わる荷重が大きな区域に分散され、支持フランジの２つの接触面上の結合荷重を低減できるという利点がもたらされる。
【００２５】
特定の状况では、リレーの締結及び位置決めのための構成である場合、支持フランジ上の圧入ピン及び／又はスペーサー脚及び／又はラッチ部が、支持フランジの中心線に対して横方向に変位して偏心する場合には他の利点がもたらされる。この締結クリップデザインの偏心は、リレーハウジングの差し込み穴と電気基板又は回路基板の締結穴との間の両方の非対称を補うことができる。従って、必要に応じて、製造上の理由から締結穴をリレーハウジングの差し込み穴に直接対向しない他の場所に配置することが可能になり、結果的に、必要に応じて、例えば、基板サイズ、基板レイアウト、及び基板の配置をより簡単に最適化できる。
【００２６】
好ましくは、少なくとも１つの締結クリップの支持フランジは、該支持フランジの上及びその端部に形成され、嵌合部に隣接して、嵌合部が少なくとも１つのハウジングの穴に嵌合される場合に、リレーの少なくとも１つのハウジングに接触する表面を有する。
【００２７】
好ましくは、少なくとも１つの締結クリップの嵌合部は、ハウジングの穴の相応する形状の部分に係合する十字形の圧入フィンガーを含む。
【００２８】
好ましくは、少なくとも１つの締結クリップの嵌合部は、支持フランジに結合する第１の嵌合段部と、第１の嵌合段部に結合する第２の嵌合段部とを含む。
【００２９】
好ましくは、少なくとも１つの締結クリップは、支持フランジに隣接する嵌合部の一部を取り囲み、ハウジングと基板との間の距離を調節するようになった離隔リングを更に含む。
【００３０】
好ましくは、少なくとも１つの締結クリップの嵌合部は、中央フランジに結合されるスペーサー脚と、スペーサー脚に結合されるラッチ凹部と、ラッチ凹部に結合されるラッチ頭部とを含む。
【００３１】
好ましくは、少なくとも１つの締結クリップのラッチ部は、支持フランジに結合されるスペーサー脚を含む。
【００３２】
好ましくは、少なくとも１つの締結クリップのラッチ部は、スペーサー脚に結合されるラッチ凹部と、該ラッチ凹部に結合されるラッチ頭部とを含む。
【００３３】
好ましくは、少なくとも１つの締結クリップのラッチ部は弾性があり、基板のボアに押し込まれる。
【００３４】
好ましくは、少なくとも１つの締結クリップのラッチ部は、スペーサー脚とラッチ凹部との間に中間凹部（１３）及び中間ラッチ頭部を含む。
【００３５】
好ましくは、少なくとも１つの締結クリップのスペーサー脚は、スリットがない、部分的にスリット付けされている、又は完全にスリット付けされている。
【００３６】
好ましくは、少なくとも１つの締結クリップは、複数の締結クリップを含み、リレーは、相互に取り付けられた複数のハウジングスタックを有する複数式リレーであり、複数の締結クリップのうちの少なくとも１つの第１の締結クリップは、ハウジングの穴に嵌合する嵌合部と基板のボアに係止されるラッチ部とを有し、複数の締結クリップのうちの少なくとも１つの第２の締結クリップは、複数のハウジングのうちの第１のハウジングの穴に嵌合する嵌合部と、複数のハウジングのうちの第２のハウジングの穴に係止するラッチ部とを有する。
【００３７】
随意的に、第１の締結クリップを支持するハウジングの穴と、第２の締結クリップを支持するハウジングの穴とは、それぞれの端部に挿入される第１及び第２の締結クリップと同じ穴とすることができる。
【００３８】
好ましくは、少なくとも１つの第２の締結クリップは、支持フランジに隣接する嵌合部の一部を取り囲み、複数のハウジングのうちの第１のハウジングと第２のハウジングとの間の距離を調節するようになった離隔リングを更に含む。
【００３９】
好ましくは、嵌合部及びラッチ部の少なくとも１つは、支持フランジの中心線に対して横方向に変位する。
【００４０】
本考案の種々の実施形態が、以下に例示的に添付の図面を参照して説明される。図面において、複数の図面に現れる同一の又は関連する構造、要素、部品には、現れる全ての図面において同じ参照符合が付けられている。図示の構成要素及び特徴部の寸法は便宜的に選択したものであり、明示するものではなく、必ずしも同じ縮尺で示されるものではない。以下に図面を記載する。
【図面の簡単な説明】
【００４１】
【図１】本考案の実施形態による基板又は回路基板上の単一のリレーの構成を示す。
【図２】本考案の他の実施形態による３つのリレーハウジングを有する複数式リレーの構成を示す。図２Ａは、図２の一部の拡大図である。
【図３】本考案の特定の実施形態による締結クリップを示す。
【図４】本考案の特定の実施形態による締結クリップを示す。
【図５】本考案の特定の実施形態による締結クリップを示す。
【図６】本考案の特定の実施形態による締結クリップを示す。
【考案を実施するための形態】
【００４２】
本考案の実施形態は、図１から６を参照して以下に詳細に説明される。
図１は、ハウジング３及び少なくとも１つの浸漬ハンダピン１６を有する単一のリレー１を示す。リレー１は、本考案の実施形態による２つの締結クリップ５によって電気基板又は回路基板４（以下では基板と呼ぶ）に締結される。図１には２つの締結クリップ５を用いてリレー１を基板４上に位置決めする方法が明示され、基板４と単一リレー１のリレーハウジング３との間には所定の距離がある。その結果、必要であれば、リレーの下のこの自由空間に他の構成部品を設けることが可能になる。浸漬ハンダピン１６のハンダ付けの前に、リレー１は、製造時の変位又は傾きに対して基板に正確に位置決めして固定される。更に、リレー１はしっかり支持され、リレーの結合時に作用する可能性のある力は、締結クリップ５が阻止して基板４に向けられる。リレー１の内部構造体は荷重から保護され。更に単一動作で全ての構成部品及び浸漬ハンダピン１６を基板４へウェーブハンダ付けすることが可能である。
【００４３】
図２は、本考案の実施形態による締結クリップ５によって互いに装着される３つのリレーハウジング３を有する複数式リレー２を示す。例示的に、複数式リレー２は、締結クリップ５が定める間隔を開けて一緒に積み重ねられる３つの単一リレーを含む。この組み立てブロックは、次に、例えば図１に示す回路基板４等の基板上に対応する数の締結クリップ５を用いて位置決めして締結することができる。図２Ａに示す詳細図は、２つの隣接するリレーハウジング３の間で係合状態の締結クリップ５を示す。
【００４４】
図３は、本考案の特定の実施形態による締結クリップ５を示す。締結クリップ５は、十字形の圧入ピン６と、圧入ピン６に連結される中央支持フランジ７とを含む。支持フランジ７上に配置される圧入ピン６は小径であり、締結されるリレーハウジング３を支持することができる支持フランジ７上に接触面が形成されるような寸法である。スペーサー脚８は、圧入ピン６と反対側の支持フランジ上に配置される。スペーサー脚８は、スリットがない、部分的にスリット付けされる、又は完全にスリット付けされるようにデザインできる。図３に示すようにスペーサー脚８が完全にスリット付けされている場合、２つのスペーサー脚８は、支持フランジ７から延びる。ラッチ部９は、各スペーサー脚８に結合し、圧入ピン６から遠い側の締結クリップ５の端部にラッチ凹部１０及びラッチ頭部１１を含む。ラッチ部９は、弾性材料で作られ、組み立て時に押し付けられることが好ましく、組み立て時に、ラッチ頭部１１は、対応して形成されたリレーハウジング３又は基板４のアンダーカットに係止する前に、対応する穴又は基板ボアに押し込まれる。基板に関して、アンダーカットは、単純に基板の反対側とすることができる。
【００４５】
図１に示すように、リレー１を２つの締結クリップ５によって基板４に組み付ける場合、各締結クリップ５のラッチ凹部１０は、回路基板４の基板ボアを締め付ける。基板の裏面において、ラッチ頭部１１は、２つのラッチ頭部１１の突出面が基板ボアの縁と重なって締結をもたらすように突出する。好ましい実施形態において、ラッチ凹部１０の直径は基板４の基板ボアの直径と一致するので、締結クリップ５の基板４に対するしっかりした締結につながる。
【００４６】
図４は、本考案の実施形態による複式スリット締結クリップ５を示す。複式スリット締結クリップ５は、図３に示す圧入ピン６を備えていないが、支持フランジ７の両側に２つのスペーサー脚８を備え、スペーサー脚８は、ラッチ凹部１０及びこれから延びるラッチ頭部１１を有するラッチ部９を含む。その結果、複式スリット締結クリップ５は、アンダーカット締結穴がリレーハウジング３及び基板４の適所に設けられる場合には同じように両側で係止することができる。
【００４７】
図５は、本考案の他の特定の実施形態による締結クリップ５を示し、ラッチ部９は、２つの段階的な凹部及び頭部を含む。具体的には、ラッチ部９は、スペーサー脚８と中間ラッチ頭部１２との間の中間凹部１３、及びラッチ頭部１２と遠位ラッチ頭部１１との間のラッチ凹部１０を含む。図３及び４を参照して説明した締結クリップ５のラッチ部９と同様に、ラッチ部９は、部分的にスリットを付けるか又は完全にスリットを付けることができる。更に、中間凹部１３及び中間ラッチ頭部１２は、それぞれラッチ凹部１０及びラッチ頭部１１の直径と同じとすること又は異なることができる。このようなラッチ部９の複数のラッチ頭部及び凹部デザインにより、締結クリップ５を種々の距離の基板４又は隣接のリレーハウジング３に及び／又は異なる寸法の基板ボアに締結することができる。
【００４８】
図６は、本考案のさらに他の特定の実施形態による締結クリップ５を示し、圧入ピン６は、段階的に形成されており、通常の圧入ピン６及び段階的圧入ピン先端１４を含む。本考案によれば、締結クリップ５の圧入ピン６は、異なる寸法の２つ以上のピン段部を含むことができる。例えば、圧入ピン６は、複数のピン段を形成するために鋸歯状の返しのついた表面を有することができる。この複数の圧入ピン段部をもつ単一の締結クリップ５は、異なる装着距離を生じさせるために利用することができる。これは、リレーハウジング３と基板４との間の空間が変化する場合に好都合である。この用途において、リレーハウジング３は、寸法が異なる複数の差し込み穴を、又は段階的圧入ピン６の圧入ピン段部の異なる寸法に対応する異なる直径の複数の段部をもつ差し込み穴を有することができる。更に、締結クリップ５は、圧入ピン６上に離間リング１５を含むことができ、複数式リレー２の各リレーハウジング３の間、及び／又はリレー１又は複数式リレー２と基板４との間の距離の調整が容易になる。
【００４９】
前述の技術的な解決策は、家庭用、商用、及び工業用の電気機器の電流を開閉するために使用される電気計器に装着するリレーに関して利用することができる。
【００５０】
本出願の明細書及び請求項において、動詞「備える」「含む」「含有する」「有する」、及びその変形物は、説明する部材の存在を述べる包括的な意味で使用されるが、追加の部材の存在を排除するものではない。
【００５１】
本考案は、１つ又はそれ以上の好ましい実施形態を参照して説明されるが、当業者であれば種々の変形例が可能なことを理解できるはずである。従って、本考案の範囲は請求項を参照して決定される。例示的に、本考案による締結クリップは、図５を参照して説明した複数のラッチ段部及び図６を参照して説明した複数の圧入ピン段部を組み合わせることができる。また、例示的に、本考案による締結クリップは、図４を参照して説明した複式スリット部及び図５を参照して説明した複数のラッチ段部を組み合わせることができる。
ができる。
【符号の説明】
【００５２】
５  締結クリップ
６  圧入ピン
７  支持フランジ
８  スペーサー脚
１０  ラッチ凹部
１１  ラッチ頭部
【図１】
0003190875.tif 000003
【図２】
0003190875.tif 000004
【図３】
0003190875.tif 000005
【図４】
0003190875.tif 000006
【図５】
0003190875.tif 000007
【図６】
0003190875.tif 000008
【手続補正書】
【提出日】平成26年3月28日(2014.3.28)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つのハウジングと、前記少なくとも１つのハウジングから延び、基板にハンダ付けされる少なくとも１つの浸漬ハンダピンとを含むリレーを備えるリレー組立体であって、前記リレーは、前記リレーの前記少なくとも１つのハウジングの穴に嵌合する嵌合部と、前記基板のボアに係止するラッチ部と、前記嵌合部と前記ラッチ部との間の支持フランジとを有する、少なくとも１つの締結クリップによって前記基板に取り付けられることを特徴とするリレー組立体。
【請求項２】
前記少なくとも１つの締結クリップの前記支持フランジは、該支持フランジの上及びその端部に形成され、前記嵌合部に隣接して、前記嵌合部が前記少なくとも１つのハウジングの穴に嵌合される場合に、前記リレーの前記少なくとも１つのハウジングに接触する表面を有する、請求項１に記載のリレー組立体。
【請求項３】
前記少なくとも１つの締結クリップの前記嵌合部は、前記ハウジングの穴の相応する形状の部分に係合する十字形の圧入フィンガーを含む、請求項２に記載のリレー組立体。
【請求項４】
前記少なくとも１つの締結クリップの前記嵌合部は、前記支持フランジに結合する第１の嵌合段部と、前記第１の嵌合段部に結合する第２の嵌合段部とを含む、請求項１から３のいずれかに記載のリレー組立体。
【請求項５】
前記少なくとも１つの締結クリップは、前記支持フランジに隣接する前記嵌合部の一部を取り囲み、前記ハウジングと前記基板との間の距離を調節するようになった離隔リングを更に含む、請求項１から４のいずれかに記載のリレー組立体。
【請求項６】
前記少なくとも１つの締結クリップの前記嵌合部は、前記支持フランジに結合されるスペーサー脚と、前記スペーサー脚に結合されるラッチ凹部と、前記ラッチ凹部に結合されるラッチ頭部とを含む、請求項１から５のいずれかに記載のリレー組立体。
【請求項７】
前記少なくとも１つの締結クリップの前記ラッチ部は、前記支持フランジに結合されるスペーサー脚を含む、請求項６に記載のリレー組立体。
【請求項８】
前記少なくとも１つの締結クリップの前記ラッチ部は、前記スペーサー脚に結合されるラッチ凹部と、該ラッチ凹部に結合されるラッチ頭部とを含む、請求項７に記載のリレー組立体。
【請求項９】
前記少なくとも１つの締結クリップの前記ラッチ部は弾性があり、前記基板のボアに押し込まれる、請求項７又は８に記載のリレー組立体。
【請求項１０】
前記少なくとも１つの締結クリップの前記ラッチ部は、前記スペーサー脚と前記ラッチ凹部との間に中間凹部（１３）及び中間ラッチ頭部を含む、請求項７から９のいずれかに記載のリレー組立体。
【請求項１１】
前記少なくとも１つの締結クリップの前記スペーサー脚は、スリットがない、部分的にスリット付けされている、又は完全にスリット付けされている、請求項７から１０のいずれかに記載のリレー組立体。
【請求項１２】
前記少なくとも１つの締結クリップは、複数の締結クリップを含み、
前記リレーは、相互に取り付けられた複数のハウジングスタックを有する複数式リレーであり、
前記複数の締結クリップのうちの少なくとも１つの第１の締結クリップは、前記ハウジングの穴に嵌合する嵌合部と、前記基板のボアに係止されるラッチ部とを有し、
前記複数の締結クリップのうちの少なくとも１つの第２の締結クリップは、前記複数のハウジングのうちの第１のハウジングの穴に嵌合する嵌合部と、前記複数のハウジングのうちの第２のハウジングの穴に係止するラッチ部とを有する、請求項１から１１のいずれかに記載のリレー組立体。
【請求項１３】
前記少なくとも１つの第２の締結クリップは、
前記支持フランジに隣接する前記嵌合部の一部を取り囲み、前記複数のハウジングのうちの前記第１のハウジングと前記第２のハウジングとの間の距離を調節するようになった離隔リングを更に含む、請求項１２に記載のリレー組立体。
【請求項１４】
前記嵌合部及び前記ラッチ部の少なくとも１つは、支持フランジの中心線に対して横方向に変位する、請求項１から１３のいずれかに記載のリレー組立体。